(57)【要約】【課題】一つの側面として、リブを有する樹脂成型体と金属とを一体化させた筐体部品を備える電子装置で、ヒケを抑制する。【解決手段】電子装置１は、貫通孔１１６を有する金属製の第１の筐体部品１１０と、第１の筐体部品１１０と一体成型された樹脂製の第２の筐体部品１３０と、第２の筐体部品１３０を覆う第３の筐体部品３００と、を備える。第２の筐体部品１３０は、固定部１５０とリブ１４２とを有している。固定部１５０は、第１の筐体部品１１０の貫通孔１１６の一方の側の面１１４から貫通孔１１６を介して他方の側の面１１５に延在して設けられ、第２の筐体部品１３０を第１の筐体部品１１０に固定する。リブ１４２は、貫通孔１１６と離間した箇所で第１の筐体部品１１０に対して立設されている。第３の筐体部品３００は、リブ１４２によって支えられている。【選択図】図７
2014199535.tif 000002
【特許請求の範囲】
【請求項１】
貫通孔を有する金属製の第１の筐体部品と、
前記第１の筐体部品と一体成型された樹脂製の第２の筐体部品と、
前記第２の筐体部品を覆う第３の筐体部品と、を備え、
前記第２の筐体部品は、前記第１の筐体部品の前記貫通孔の一方の側の面から前記貫通孔を介して他方の側の面に延在して設けられ、前記第２の筐体部品を前記第１の筐体部品に固定する固定部と、前記貫通孔と離間した箇所で前記第１の筐体部品に対して立設されたリブと、を有し、前記第３の筐体部品は、前記リブによって支えられている電子装置。
【請求項２】
前記第２の筐体部品は、前記第１の筐体部品の前記他方の側の面上に設けられ、前記固定部と前記リブとを連結し、前記固定部から前記リブにかけて断面Ｌ字形状を形成する連結部をさらに有する請求項１記載の電子装置。
【請求項３】
前記第１の筐体部品に電子素子が搭載され、前記リブは、前記電子素子の位置決めに使用される請求項１または２記載の電子装置。
【請求項４】
前記リブを挟んで前記第１の筐体部品には表示素子が搭載され、前記第２の筐体部品には、撮像素子が搭載され、前記第３の筐体部品には、前記撮像素子による撮像用の開口部が設けられている請求項１または２記載の電子装置。
【請求項５】
貫通孔を有する金属製の第１の筐体部品と、
前記第１の筐体部品と一体成型された樹脂製の第２の筐体部品と、を備え、
前記第２の筐体部品は、前記第１の筐体部品の前記貫通孔の一方の側の面から前記貫通孔を介して他方の側の面に延在して設けられ、前記第２の筐体部品を前記第１の筐体部品に固定する固定部と、前記貫通孔と離間した箇所で前記第１の筐体部品に対して立設されたリブと、を有している電子装置用部品。
【請求項６】
前記第２の筐体部品は、前記第１の筐体部品の前記他方の側の面上に設けられ、前記固定部と前記リブとを連結し、前記固定部から前記リブにかけて断面Ｌ字形状を形成する連結部をさらに有する請求項５記載の電子装置用部品。
【発明の詳細な説明】
【技術分野】
【０００１】
本願の開示する技術は、電子装置および電子装置用部品に関する。
【背景技術】
【０００２】
パーソナルコンピュータ等の電子装置では、筐体の一部に、金属と樹脂成型体とを一体化させた部品が用いられる場合がある。また、樹脂成型体には、構造上の強度を持たせるために、リブが設けられる場合がある。金属と樹脂成型体とを一体化させる場合に、金属に設けた貫通孔を介して樹脂を流し込み、貫通孔の直上にリブを設ける構造が提案されている。
【先行技術文献】
【特許文献】
【０００３】
【特許文献１】特開平３−１８３５１６号公報
【特許文献２】特開平７−１２４９９５号公報
【発明の概要】
【発明が解決しようとする課題】
【０００４】
しかしながら、このように樹脂が流し込まれる貫通孔の直上にリブを設けると、樹脂成型体のリブとは反対側の部分にヒケが生じてしまうという問題がある。
【０００５】
本願の開示する技術は、一つの側面として、リブを有すると共に、ヒケを抑制できる構造の樹脂成型体と金属とを一体化させた筐体部品を備える電子装置を提供することを目的とする。
【課題を解決するための手段】
【０００６】
上記目的を達成するために、本願の開示する技術の一つの側面によれば、貫通孔を有する金属製の第１の筐体部品と、第１の筐体部品と一体成型された樹脂製の第２の筐体部品と、第２の筐体部品を覆う第３の筐体部品と、を備える電子装置が提供される。第２の筐体部品は、固定部とリブとを有している。固定部は、第１の筐体部品の貫通孔の一方の側の面から貫通孔を介して他方の側の面に延在して設けられ、第２の筐体部品を第１の筐体部品に固定する。リブは、貫通孔と離間した箇所で第１の筐体部品に対して立設されている。第３の筐体部品は、リブによって支えられている。
【発明の効果】
【０００７】
本願の開示する技術の一つの側面によれば、リブを有する樹脂成型体と金属とを一体化させた筐体部品を備える電子装置で、ヒケを抑制できる。
【図面の簡単な説明】
【０００８】
【図１】図１は、実施の形態のパーソナルコンピュータを説明するための概略斜視図である。
【図２】図２は、実施の形態のパーソナルコンピュータの液晶ユニットを説明するための概略正面図である。
【図３】図３は、実施の形態のパーソナルコンピュータの液晶ユニットを説明するための概略背面図である。
【図４】図４は、実施の形態のパーソナルコンピュータの液晶ユニットを説明するための概略分解斜視図である。
【図５】図５は、実施の形態のパーソナルコンピュータの液晶ユニットのリアカバーとアンテナおよびカメラの配置を説明するための概略平面図である。
【図６】図６は、実施の形態のパーソナルコンピュータの液晶ユニットのリアカバーを説明するための概略平面図である。
【図７】図７は、図７のＡＡ線概略断面図である。
【図８】図８は、図７のＣ部の概略部分拡大斜視図である。
【図９】図９は、実施の形態のパーソナルコンピュータの液晶ユニットのリアカバーの製造方法を説明するための概略断面図である。
【図１０】図１０は、比較のためのパーソナルコンピュータの液晶ユニットのリアカバーを説明するための概略断面図である。
【図１１】図１１は、図５のＢＢ線概略断面図である。
【発明を実施するための形態】
【０００９】
次に、本願の開示する技術の好ましい実施の形態を図面を参照して説明する。
【００１０】
図１を参照すれば、好ましい実施の形態のパーソナルコンピュータ１は、ノートブック型パーソナルコンピュータであり、パーソナルコンピュータ本体２０と、表示部１０とを備えている。パーソナルコンピュータ１は電子装置の一例である。
【００１１】
図２〜図４を参照すれば、表示部１０は、液晶表示パネル２００と、フロントカバー３００と、リアカバー１００とを備えている。液晶表示パネル２００は電子素子の一例である。フロントカバー３００は開口３０２を備えている。フロントカバー３００は液晶表示パネル２００の液晶表示部２０２の周辺を覆い、フロントカバー３００の開口３０２に液晶表示部２０２を露出する。フロントカバー３００は樹脂製である。リアカバー１００は、液晶表示パネル２００の液晶表示部２０２とは反対側の背面２０４を覆っている。
【００１２】
図４、図５を参照すれば、リアカバー１００は、リアカバー本体１１０と、アンテナカバー１３０と、リアキャップ１９０とを備えている。リアカバー本体１１０は、金属製であり、Ｍｇ合金等が好適に用いられる。アンテナカバー１３０とリアキャップ１９０は樹脂製である。リアカバー本体１１０上には液晶表示パネル２００が設けられている。リアカバー本体１１０は、リアカバー１００の中央に配置されている。アンテナカバー１３０と、リアキャップ１９０は、リアカバー本体１１０の対向する２つの端部１１２、１１４にそれぞれ取り付けられている。端部１１４から端部１１２に向かう方向をここではＹ方向とする。
【００１３】
図５を参照すれば、アンテナカバー１３０の中央部１２３には、カメラ１８２が取り付けられている。アンテナカバー１３０の側部１２４、１２５には、アンテナ１８０がそれぞれ取り付けられている。
【００１４】
図６〜図８を参照すれば、アンテナカバー１３０は、基部１３２と、Ｌ字状リブ１４０と、リブ１４８と、アンカー１５２とを備えている。基部１３２は平板状である。Ｌ字状リブ１４０は、基部１３２のＹ方向の一方の端部１３３側に設けられ、リブ１４８は、基部１３２のＹ方向の他方の端部１３４側に設けられている。アンテナカバー１３０は、リアカバー本体１１０の端部１１２に、Ｌ字状リブ１４０とアンカー１５２によって取り付けられている。リアカバー本体１１０の端部１１２の延在方向（ここでは、Ｘ方向とする）において、Ｌ字状リブ１４０は、離散的に設けられている。Ｌ字状リブ１４０間には、複数のアンカー１５２がそれぞれ設けられている。
【００１５】
図８を参照すれば、リアカバー本体１１０の端部１１２には、端部１１２の延在方向（Ｘ方向）において、複数の貫通孔１１６が設けられている。Ｌ字状リブ１４０間の貫通孔１１６には、アンカー１５２がそれぞれ設けられている。アンカー１５２は、リアカバー本体１１０の端部１１２の下面１１４側（図７参照）のアンテナカバー１３０の基部１３２から貫通孔１１６を通って、端部１１２の上面１１５（図７参照）上に延在して設けられている。アンカー１５２の下側は、貫通孔１１６の断面積よりも大きい断面積のアンカー下部１５３を有し、アンカー１５２の上側は、貫通孔１１６の断面積よりも断面積の大きいアンカー上部１５１を有している。アンカー下部１５３は、基部１３２の一部である。
【００１６】
図７、図８を参照すれば、Ｌ字状リブ１４０は、平板部１４１と、リブ１４２とを備えている。平板部１４１は、リアカバー本体１１０の端部１１２の上面１１５上に設けられている。リブ１４２は、平板部１４１の一端部１４３に設けられ、端部１１２の上面１１５上に立設されている。リブ１４２は、平板部１４１に対して垂直に設けられている。Ｌ字状リブ１４０の断面はＬ字状である。平板部１４１は、複数の貫通孔１１６を覆って設けられている。Ｌ字状リブ１４０は、各貫通孔１１６を介して、固定部１５０によってリアカバー本体１１０の端部１１２に固定されている。固定部１５０は、端部１１２の下面１１４から貫通孔１１６を介して端部１１２の上面１１５に延在して設けられている。固定部１５０は、端部１１２の下面１１４の下側の下側固定部１５５、貫通孔１１６内の貫通孔内固定部１５６、端部１１２の上面１１５の上側の上側固定部１５７備えている。下側固定部１５５は基部１３２の一部であり、上側固定部１５７は平板部１４１の一部である。下側固定部１５５の断面積および上側固定部１５７の断面積は、貫通孔１１６の断面積よりも大きい。平板部１４１は、固定部１５０とリブ１４２とを連結する連結部１４４を備えている。連結部１４４により、固定部１５０からリブ１４２にかけて断面Ｌ字形状を形成している。リブ１４２と平板部１４１との間には、断面三角形状の補強リブ１４６が設けられている。
【００１７】
図７を参照すれば、Ｌ字状リブ１４０のリブ１４２と、リブ１４８は、基部１３２に対して垂直方向（ここでは、上述のＸ方向、Ｙ方向に垂直なＺ方向）に立設されている。フロントカバー３００は、リブ１４２およびリブ１４８によって支えられている。フロントカバー３００は、アンテナカバー１３０を覆い、液晶表示パネル２００の上端部２２０を覆っている。フロントカバー３００は、カメラ１８２（図５参照）およびアンテナ１８０（図５参照）を覆って設けられている。
【００１８】
次に、図９を参照して、金属製のリアカバー本体１１０に樹脂製のアンテナカバー１３０を取り付ける方法について説明する。
【００１９】
まず、コア側の金型４０２とキャビティ側の金型４０４とを準備する（図９（ａ）参照）。金型４０２は、面４０３側に凹部４１６と、凹部４１６に連通する凹部４１４と、断面Ｌ字状の凹部４１２とを備えている。金型４０２は、さらに、凹部４１４に連通するゲート４１０を備えている。金型４０４は、面４０５側に凹部４１８を備えている。
【００２０】
金型４０２の面４０３に、リアカバー本体１１０を設置する。この場合に、リアカバー本体１１０の端部１１２が凹部４１６内に設置されるようにし、端部１１２の上面１１５が凹部４１２に面するようにする。
【００２１】
次に、金型４０２の面４０３と金型４０４の面４０５とを合わせて、金型４０２の凹部４１２、４１４、４１６、金型４０４の凹部４１８により空間４３０を形成する。この空間４３０にゲート４１０から樹脂４２０を注入（図９（ｂ）参照）して、リアカバー本体１１０にアンテナカバー１３０を一体成型する（図９（Ｃ）参照）。このとき、リアカバー本体１１０の端部１１２の下面１１４側から貫通孔１１６（図７参照）を介して、樹脂が凹部４１２内に注入され、Ｌ字状リブ１４０が形成される。その後、金型４０４と４０２とを離間させ、リアカバー本体１１０と一体成型されたアンテナカバー１３０を金型４０２から離型させる。
【００２２】
本実施の形態では、リアカバー１００の大部分は金属製のリアカバー本体１１０であるので、金属製のリアカバー本体１１０を薄くしても、強度を持たせることができる。その結果、薄型でかつ強度を持ったリアカバー１００を実現でき、ひいては、表示部１０を薄型化できる。
【００２３】
リアカバー１００の一部はアンテナカバー１３０であり、アンテナカバー１３０は樹脂製であり電波を通すので、アンテナカバー１３０にアンテナを実装できる。
【００２４】
アンテナカバー１３０は、リアカバー本体１１０の端部１１２の貫通孔１１６に樹脂を流し込むことにより形成されたアンカー１５２およびＬ字状リブ１４０の固定部１５０によってリアカバー本体１１０に固定されている。このように、金属製のリアカバー本体１１０に樹脂製のアンテナカバー１３０を一体成型することによって、アンテナカバー１３０がリアカバー本体１１０に強固な接合されている。
【００２５】
Ｌ字状リブ１４０の平板部１４１は、複数の貫通孔１１６を覆って設けられており、複数の貫通孔１１６にそれぞれ設けられた複数の固定部１５０を平板部１４１は連結している。その結果、固定部１５０自体の強度が上がり、アンテナカバー１３０とリアカバー本体１１０との締結力をより大きいものとしている。
【００２６】
Ｌ字状リブ１４０では、平板部１４１の一端部１４３上にリブ１４２が立設されている。リブ１４２によってフロントカバー３００を支えている。フロントカバー３００は、液晶表示パネル２００の上端部２２０を覆っているので、フロントカバー３００の強度が弱いと、液晶表示パネル２００にフロントカバー３００による荷重がかかってしまう。リブ１４２によってフロントカバー３００を支えているので、フロントカバー３００の強度を向上させ、液晶表示パネル２００にフロントカバー３００による荷重がかかりづらい構造となっている。図７、８を参照すれば、リブ１４２が立設されている平板部１４１の一端部１４３は、液晶表示パネル２００近傍である。従って、リブ１４２によるフロントカバー３００の強度向上への寄与が大きくなり、液晶表示パネル２００にフロントカバー３００による荷重がよりかかりづらい構造となっている。また、リブ１４２は、液晶表示パネル２００の位置決めに使用することができる。
【００２７】
アンテナカバー１３０を成型する際には、リアカバー本体１１０の端部１１２の下面１１４側から貫通孔１１６（図７参照）を介して、樹脂を注入してＬ字状リブ１４０を形成する。リブ１４２は、貫通孔１１６の真上ではなく、貫通孔１１６から離間した一端部１４３上に立設されているので、貫通孔１１６の真下部分１３１に成型時にヒケが生じるのを防止または抑制できる。その結果、アンテナカバー１３０の外観を良くすることができる。なお、端部１３４側に設けられているリブ１４８の厚さは、基部１３２の厚さに比べて小さいので、リブ１４８の真下部分に成型時にヒケは生じない。
【００２８】
アンテナカバー１３０の中央部１２３には、カメラ１８２が取り付けられており（図５、図１１参照）、フロントカバー３００には、カメラ１８２のレンズに対応して開口部３１４が設けられている（図１１参照）。カメラ１８２とフロントカバー３００との間には、組立時のずれや成型時の公差等により、隙間３５０が存在する。リアカバー本体１１０は金属製なので、液晶表示パネル２００のバックライト１７０がリアカバー本体１１０で反射し、反射光１７１が、隙間３５０を介して開口部３１４から漏れる可能性がある。液晶表示パネル２００と開口部３１４との間にリブ１４２を設けているので、この反射光１７１を遮光するので、開口部３１４から反射光１７１が漏れるのを防止または抑制できる。その結果、液晶表示パネル２００の動作時の外観を良くすることができる。
【００２９】
図１０を参照して、リアカバー本体１１０の端部１１２の貫通孔１１６の真上にリブ１６２を形成した場合について、上記実施の形態と比較のために説明する。貫通孔１１６の真上にリブ１６２を設けると、樹脂を注入してリブ１６２を成型する際に、貫通孔１１６の真下部分１３１にヒケ１３９が生じ、アンテナカバー１３０の外観が悪くなってしまう。なお、リブ１６２の厚さは、基部１３２の厚さとほぼ同じであるので、ヒケ１３９が生じるが、端部１３４側に設けられているリブ１４８の厚さは、基部１３２の厚さに比べて小さいので、リブ１４８の真下部分に成型時にヒケは生じない。また、リブ１６２と液晶表示パネル２００との間の距離が空いてしまうので、リブ１６２を液晶表示パネル２００の位置決めに使用するのも困難となる。
【００３０】
以上の本願の開示する技術の好ましい実施の形態および変形例に関し、さらに以下の付記を開示する。
【００３１】
（付記１）
貫通孔を有する金属製の第１の筐体部品と、
前記第１の筐体部品と一体成型された樹脂製の第２の筐体部品と、
第２の筐体部品を覆う第３の筐体部品と、を備え、
前記第２の筐体部品は、前記第１の筐体部品の前記貫通孔の一方の側の面から前記貫通孔を介して他方の側の面に延在して設けられ、前記第２の筐体部品を前記第１の筐体部品に固定する固定部と、前記貫通孔と離間した箇所で前記第１の筐体部品に対して立設されたリブと、を有し、前記第３の筐体部品は、前記リブによって支えられている電子装置。
【００３２】
（付記２）
前記第２の筐体部品は、前記第１の筐体部品の前記他方の側の面上に設けられ、前記固定部と前記リブとを連結し、前記固定部から前記リブにかけて断面Ｌ字形状を形成する連結部をさらに有する付記１記載の電子装置。
【００３３】
（付記３）
前記第１の筐体部品に電子素子が搭載され、前記リブは、前記貫通孔に対して前記電子素子側に設けられている付記１または２記載の電子装置。
（付記４）
【００３４】
前記第１の筐体部品に電子素子が搭載され、前記リブは、前記電子素子の位置決めに使用される付記１〜付記３のいずれかに記載の電子装置。
【００３５】
（付記５）
前記第１の筐体部品は、前記固定部に対して第１の方向に延在して設けられ、前記第２の筐体部品は、前記固定部に対して前記第１の方向とは反対の第２の方向に延在して設けられ、前記リブは、前記固定部に対して前記第１の方向側に設けられている付記１または２記載の電子装置。
【００３６】
（付記６）
前記第１の筐体部品、前記第２の筐体部品および前記リブは、前記第１の方向および第２の方向に垂直な第３の方向に延在し、前記貫通孔および前記固定部は前記第３の方向に複数設けられている付記５記載の電子装置。
【００３７】
（付記７）
前記第１の筐体部品に電子素子が搭載され、前記リブは、前記貫通孔に対して前記電子素子側に設けられ、前記第３の筐体部品は、前記電子素子の一部を覆っている付記１または２記載の電子装置。
【００３８】
（付記８）
前記リブを挟んで前記第１の筐体部品には表示素子が搭載され、前記第２の筐体部品には、撮像素子が搭載され、前記第３の筐体部品には、前記撮像素子による撮像用の開口部が設けられている付記１または２記載の電子装置。
【００３９】
（付記９）
前記第３の筐体部品は樹脂製である付記１〜付記８のいずれかに記載の電子装置。
【００４０】
（付記１０）
貫通孔を有する金属製の第１の筐体部品と、
前記第１の筐体部品と一体成型された樹脂製の第２の筐体部品と、を備え、
前記第２の筐体部品は、前記第１の筐体部品の前記貫通孔の一方の側の面から前記貫通孔を介して他方の側の面に延在して設けられ、前記第２の筐体部品を前記第１の筐体部品に固定する固定部と、前記貫通孔と離間した箇所で前記第１の筐体部品に対して立設されたリブと、を有している電子装置用部品。
【００４１】
（付記１１）
前記第２の筐体部品は、前記第１の筐体部品の前記他方の側の面上に設けられ、前記固定部と前記リブとを連結し、前記固定部から前記リブにかけて断面Ｌ字形状を形成する連結部をさらに有する付記１０記載の電子装置用部品。
【００４２】
（付記１２）
前記第２の筐体部品を覆う第３の筐体部品をさらに備え、前記第３の筐体部品は、前記リブによって支えられている付記１０または１１記載の電子装置用部品。
【００４３】
（付記１３）
前記第３の筐体部品は樹脂製である付記１０〜付記１２のいずれかに記載の電子装置用部品。
【００４４】
以上、本願の開示する技術の典型的な実施の形態を説明してきたが、本願の開示する技術はそれらの実施の形態に限定されない。従って、本発明の範囲は、次の特許請求の範囲によってのみ限定されるものである。
【符号の説明】
【００４５】
１  パーソナルコンピュータ
１０  表示部
１００  リアカバー
１１０  リアカバー本体
１１４  下面
１１５  上面
１１６  貫通孔
１３０  アンテナカバー
１４０  Ｌ字状リブ
１４２  リブ
１４４  連結部
１５０  固定部
２００  液晶表示パネル
３００  フロントカバー
【図１】
2014199535.tif 000003
【図２】
2014199535.tif 000004
【図３】
2014199535.tif 000005
【図４】
2014199535.tif 000006
【図５】
2014199535.tif 000007
【図６】
2014199535.tif 000008
【図７】
2014199535.tif 000009
【図８】
2014199535.tif 000010
【図９】
2014199535.tif 000011
【図１０】
2014199535.tif 000012
【図１１】
2014199535.tif 000013